(57)【要約】      （修正有）【課題】コネクタプラグ及びコネクタ座体の連結を正確に行うことができ、それらの結合時に磁力吸着作用が発生し、磁性結合及び電源導通が得られるコネクタの連結構造の提供。【解決手段】コネクタプラグ及びコネクタ座体を含み、前記コネクタプラグの片側に突出接続部を設け、且つ、前記突出接続部に複数の排列された端子及びポカよけ突起を設置し、前記複数の端子及び前記突出接続部の間に受動電磁部材及び導電弾性片が嵌設され、且つ、前記導電弾性片が電源線の正負極端に対応し、前記電源線及び変圧器の正負極端が前記突出接続部両側に突出させて設けた当接弾性片に対応すると共に、前記当接弾性片が前記コネクタ座体の固定挿入槽に対応し、前記突出接続部及び前記固定挿入槽を対応させて結合させるとき、前記突出接続部の当接弾性片が前記導電弾性片に接触し、前記受動電磁部材に磁力吸着作用を発生させ、磁性結合及び電源導通の目的を達することを特徴とする。【選択図】図３
0003121573.tif 000002
【実用新案登録請求の範囲】
【請求項１】
主にコネクタプラグ及びコネクタ座体を含み、前記コネクタプラグの片側に突出接続部を設け、且つ、前記突出接続部に複数の排列された端子及びポカよけ突起を設置し、前記複数の端子及び前記突出接続部の間に受動電磁部材及び導電弾性片が嵌設され、且つ、前記導電弾性片が電源線の正負極端に対応し、前記電源線及び変圧器の正負極端が前記突出接続部両側に突出させて設けた当接弾性片に対応すると共に、前記当接弾性片が前記コネクタ座体の固定挿入槽に対応し、前記突出接続部及び前記固定挿入槽を対応させて結合させるとき、前記突出接続部の当接弾性片が前記導電弾性片に接触し、前記受動電磁部材に磁力吸着作用を発生させ、磁性結合及び電源導通の目的を達する構成としたことを特徴とするコネクタの連結構造。
【請求項２】
前記コネクタ座体の固定挿入槽が前記コネクタプラグ片側の突出接続部に対応し、且つ、前記突出接続部のポカよけ突起及び複数の排列された端子が前記固定挿入槽のガイド槽及び複数の排列された端子に対応し、前記コネクタプラグとコネクタ座体を対応させて結合させるとき、前記受動電磁部材に磁力吸着作用を発生させ、磁性結合及び電源の導通、信号の伝送という目的を達する構成としたことを特徴とする請求項１に記載のコネクタの連結構造。  
【請求項３】
前記電磁部材が電磁コイル、永久磁石、磁石及び関連の磁性作用を有する構造体であり、且つ、磁性吸着に用いる片体を組み合わせ、前記コネクタの連結構造においてコネクタプラグと前記コネクタ座体を対応させて結合させるとき、磁性吸着結合の効果を得る請求項１に記載のコネクタの連結構造。
【考案の詳細な説明】
【技術分野】
【０００１】
本考案はコネクタの連結構造の改良に関し、コネクタプラグ片側の突出接続部をコネクタ座体片側の固定挿入槽に対応させ、コネクタプラグ及びコネクタ座体を結合させるとき、突出接続部両側に突出させて設けた当接弾性片を介して受動電磁部材の導電弾性片と接触を形成し、受動電磁部材が磁力吸着作用を発生してコネクタプラグ及びコネクタ座体の結合時に磁性結合及び電源導通の目的を達する、コネクタの連結構造に関する。
【背景技術】
【０００２】
一般的な磁力吸着式コネクタＡは、図１及び図２に示すように、コネクタＡのプラグＢ片側に複数の端子Ｂ１が設けられ、これら複数の端子Ｂ１が座体Ｃの複数のピンＣ１に対応し、プラグＢ及び座体Ｃを結合させるとき、座体Ｃ片側の磁性体Ｃ２とプラグＢ片側の接触体Ｂ２を介してプラグＢ及び座体Ｃを結合させ、電源設備の電源導通という目的を達するものである。しかしながら、前記座体Ｃ片側の磁性体Ｃ２及びプラグＢ片側の接触体Ｂ２が結合されていないとき、磁性体Ｃ２がクリップや鉄屑などの関連部材Ｄを吸着しやすいため、使用者が磁性体Ｃ２上の物品Ｄに気づかずにコネクタＡのプラグＢ及び座体Ｃを結合させると、プラグＢ及び座体Ｃ間が短絡を起こし、電源設備の短絡及び破損が発生してしまう。
【０００３】
このため、いかに上述の欠点を排除するかが、本考案が解決する技術的問題である。
【考案の開示】
【考案が解決しようとする課題】
【０００４】
本考案の目的は、コネクタプラグ及びコネクタ座体の連結を正確に行うことができ、それらの結合時に磁力吸着作用が発生し、磁性結合及び電源導通が得られるコネクタの連結構造を提供することにある。
【課題を解決するための手段】
【０００５】
本考案のコネクタの連結構造は、コネクタプラグ及びコネクタ座体を含み、前記コネクタプラグの片側に突出接続部を設け、且つ、前記突出接続部に複数の排列された端子及びポカよけ突起を設置し、前記複数の端子及び前記突出接続部の間に受動電磁部材及び導電弾性片が嵌設され、且つ、前記導電弾性片が電源線の正負極端に対応し、前記電源線及び変圧器の正負極端が前記突出接続部両側に突出させて設けた当接弾性片に対応すると共に、前記当接弾性片が前記コネクタ座体の固定挿入槽に対応し、前記突出接続部及び前記固定挿入槽を対応させて結合させるとき、前記突出接続部の当接弾性片が前記導電弾性片に接触し、前記受動電磁部材に磁力吸着作用を発生させ、磁性結合及び電源導通の目的を達することを特徴とする。        
【考案の効果】
【０００６】
本考案の進歩性と実用性をよりはっきりと示すため、以下、従来品と比較して分析する。
《従来品の欠点》
一、コネクタ座体片側の磁性体がクリップや鉄屑等の関連部材を吸着してしまいやすい。
二、使用者が磁性体上の物品に気づかずにプラグ及び座体間の短絡を起こしやすい。
三、プラグ及び座体間の結合による短絡で、電源設備の短絡及び破損が起こりやすい。
《本考案の利点》
一、コネクタの連結構造は結合時にポカよけ突起及びガイド槽により正確に導入することができる。
二、当接弾性片及び導電弾性片で、受動電磁部材に磁力吸着作用を発生させることができる。
三、コネクタプラグ及びコネクタ座体の分離時に受動電磁部材が磁性作用を発生することがない。
四、第二点を受け、磁性吸着結合により電源及び信号の伝送という目的を達することができる。
五、第三点を受け、クリップや金属等の関連部材を吸着し短絡を発生するということがない。
六、進歩性と実用性を備えている。
七、産業的競争力を向上することができる。        
【考案を実施するための最良の形態】
【０００７】
以下、本考案について図面、符号、実施例に基づき詳細に説明する。本考案はコネクタの連結構造の改良を提供するものであり、図３及び図４に示すように、前記コネクタの連結構造ＥはコネクタプラグＦ及びコネクタ座体Ｇを含み、且つ、前記コネクタプラグＦは片側に突出接続部Ｆ１が設けられ、前記該突出接続部Ｆ１には複数の端子Ｆ２及びポカよけ突起Ｆ３が設置され、また前記複数の端子Ｆ２及び突出接続部Ｆ１間には、受動電磁部材Ｆ４及び導電弾性片Ｆ５が嵌設される。
【０００８】
前記導電弾性片Ｆ５は電源線Ｈの正負極に対応し、且つ、前記電源線Ｈ及び変圧器Ｈ１の正負極は前記突出接続部Ｆ１両側に突出させて設けた当接弾性片Ｆ６に対応し、また、前記当接弾性片Ｆ６はコネクタ座体Ｇに対応し、且つ、前記コネクタ座体Ｇには固定挿入槽Ｇ１が設けられる。
【０００９】
前記固定挿入槽Ｇ１には複数の端子Ｇ２が設けられ、且つ、これら複数の端子Ｇ２の片側にガイド槽Ｇ３が形成され、また、前記該ガイド槽Ｇ３は前記コネクタプラグＦのポカよけ突起Ｆ３に対応し、コネクタプラグＦの複数の端子Ｆ２と、コネクタ座体Ｇの複数の端子Ｇ２が、ポカよけ突起Ｆ３及びガイド槽Ｇ３の導入により正しく結合され、コネクタの連結構造Ｅの正確な結合が達成される。
【００１０】
これにより、コネクタプラグＦ及びコネクタ座体Ｇを結合させるとき、コネクタプラグＦの突出接続部Ｆ１と、コネクタ座体Ｇの固定挿入槽Ｇ１により、コネクタプラグＦ及びコネクタ座体Ｇが、ポカよけ突起Ｆ３及びガイド槽Ｇ３導入を介して正しく結合され、また、前記突出接続部Ｆ１の当接弾性片Ｆ６が受動電磁部材Ｆ４の導電弾性片Ｆ５に接触するとき、受動電磁部材Ｆ４が磁力吸着作用を発生し、磁性結合及び電源導通の目的が達せられる。
【００１１】
本考案の実施方式は図５に示すように、コネクタプラグＦ片側の突出接続部Ｆ１をコネクタ座体Ｇの固定挿入槽Ｇ１に対応させるとき、突出接続部Ｆ１片側のポカよけ突起Ｆ３と、固定挿入槽Ｇ１片側のガイド槽Ｇ３を対応させてコネクタプラグＦ及びコネクタ座体Ｇの間を連結する。コネクタの連結構造Ｅは、コネクタプラグＦの複数の端子Ｆ２と、コネクタ座体Ｇの複数の端子Ｇ２とが、前記ポカよけ突起Ｆ３及びガイド槽Ｇ３により正確に導入され、コネクタの連結構造Ｅが正しく結合される。
【００１２】
図６に示すように、前記複数の端子Ｆ２及び突出接続部Ｆ１の間は、受動電磁部材Ｆ４及び導電弾性片Ｆ５が設けられ、且つ、前記導電弾性片Ｆ５が電源線Ｈの正負極に対応し、また前記電源線Ｈ及び変圧器Ｈ１の正負極が突出接続部Ｆ１両側の当接弾性片Ｆ６に対応しているため、コネクタプラグＦ片側の突出接続部Ｆ１をコネクタ座体Ｇの固定挿入槽Ｇ１に対応させるとき、当接弾性片Ｆ６を介して導電弾性片Ｆ５と接触を形成し、これにより受動電磁部材Ｆ４が磁力吸着作用を発生して磁性吸着結合の目的を達することができる。
【００１３】
図７に示すように、前記コネクタ座体Ｇの固定挿入槽Ｇ１がコネクタプラグＦ片側の突出接続部Ｆ１に対応し、且つ、前記突出接続部Ｆ１のポカよけ突起Ｆ３及び複数の端子Ｆ２が前記固定挿入槽Ｇ１のガイド槽Ｇ３及び複数の端子Ｇ２に対応し、コネクタプラグＦの突出接続部Ｆ１をコネクタ座体Ｇの固定挿入槽Ｇ１に挿入すると、受動電磁部材Ｆ４が磁力吸着作用を発生して信号伝送と磁性結合の効果が得られる。
【００１４】
図８に示すように、前記受動電磁部材Ｆ４はさらに電磁コイル、永久磁石、磁石及び関連の磁性吸着作用を有する磁性部材とすることができ、且つ、前記磁性部材は磁性吸着が可能な金属片体Ｉと組み合わせて、コネクタの連結構造ＥのコネクタプラグＦとコネクタ座体Ｇを対応させて結合させるとき、磁性吸着結合の目的を達することができる。
【００１５】
以上で述べた説明は、本考案の最良の実施例に基づくものであり、本考案の特許範囲を制限するものではなく、本考案の明細書及び図面の内容を運用した同等効果の構造を直接または間接的にその他関連技術領域に運用したものはすべて本考案の要旨の範疇の範囲内に含まれるものとみなす。
【００１６】
上述のように、本考案は従来技術を打破する構造の下、確実にその増進を図る効果を得ることができ、且つ、関連技術を熟知した人物でなくとも容易に理解することができ、さらに、本考案はその出願以前に公開されたことがなく、その進歩性、実用性は実用新案登録出願の要件を満たしているため、法に基づき実用新案登録出願を提出するものである。
【図面の簡単な説明】
【００１７】
【図１】従来品の立体斜視図である。
【図２】従来品がクリップを吸着した状態を示す立体斜視図である。
【図３】本考案の立体斜視図である。
【図４】本考案の立体分解図である。
【図５】本考案の立体透視図である。
【図６】本考案の使用時の状態を示す立体図１である。
【図７】本考案の使用時の状態を示す立体図２である。
【図８】本考案の使用時の状態を示す立体図３である。
【符号の説明】
【００１８】
Ａ        コネクタ
Ｂ        プラグ
Ｂ１      複数の端子
Ｂ２      接触体
Ｃ        座体 
Ｃ１      複数のピン
Ｃ２      磁性体
Ｄ        物品 
Ｅ        コネクタの連結構造
Ｆ        コネクタプラグ
Ｆ１      突出接続部
Ｆ２      複数の端子
Ｆ３      ポカよけ突起
Ｆ４      電磁部材
Ｆ５      導電弾性片
Ｆ６      当接弾性片
Ｇ        コネクタ座体
Ｇ１      固定挿入槽
Ｇ２      複数の端子
Ｇ３      ガイド槽
Ｈ        電源線
Ｈ１      変圧器
Ｉ        金属片体
【図１】
0003121573.tif 000003
【図２】
0003121573.tif 000004
【図３】
0003121573.tif 000005
【図４】
0003121573.tif 000006
【図５】
0003121573.tif 000007
【図６】
0003121573.tif 000008
【図７】
0003121573.tif 000009
【図８】
0003121573.tif 000010